【手続補正書】
【提出日】平成20年1月30日(2008.1.30)
【手続補正１】
【補正対象書類名】明細書
【補正対象項目名】特許請求の範囲
【補正方法】変更
【補正の内容】
【特許請求の範囲】
【請求項１】  モニタ上でカラー・スキームを動作させる方法において、
モニタ上で第１カラー・スキームを作動させるステップと、
第１カラー・スキームの作動に応答して、モニタの第１カラー・ポイントを測定するステップと、
モニタに付随するメモリ内に、第１カラー・ポイントを記憶するステップと、
モニタ上で第２カラー・スキームを稼動させるステップと、
第２カラー・スキームの作動に応答して、モニタの第２カラー・ポイントを測定するステップと、
モニタに付随するメモリ内に、第２カラー・ポイントを記憶するステップと、
モニタ上で第３カラー・スキームを作動させるステップと、
第３カラー・スキームの作動に応答して、モニタの第３カラー・ポイントを測定するステップと、
モニタに付随するメモリ内に、第３カラー・ポイントを記憶するステップと
からなることを特徴とする方法。
【請求項２】  請求項１記載の方法において、第１カラー・スキームを作動させるステップは、グリーンとブルーをゼロ強度で表示し、レッドをフル（最大）強度で表示するステップを含むことを特徴とする方法。
【請求項３】  請求項２記載の方法において、第２カラー・スキームを作動させるステップは、レッドとブルーをゼロ強度で表示し、グリーンをフル強度で表示するステップを含むことを特徴とする方法。
【請求項４】  請求項３記載の方法において、第３カラー・スキームを作動させるステップは、グリーンとレッドをゼロ強度で表示し、ブルーをフル強度で表示するステップを含むことを特徴とする方法。
【請求項５】  請求項１記載の方法において、該方法はさらに、
モニタに対応するシリアル番号を記憶するステップと、
第１カラー・ポイントをシリアル番号と関連付けるステップと
を含み、記憶された第１カラー・ポイントは、記シリアル番号と関連づけられて記憶ことを特徴とする方法。
【請求項６】  請求項１記載の方法において、該方法はさらに、
メモリから第１、第２、及び第３カラー・ポイントを読み出すステップと、
第１、第２、及び第３カラー・ポイントに対応する減衰及びミキシング行列を生成するステップと、
ピクセルに関するＲＧＢ値を受け取るステップと、
受け取ったＲＧＢ値に減衰及びミキシング行列を適用することによって、ピクセルに関する修正ＲＧＢ値を生成するステップと
からなることを特徴とする方法。
【請求項７】  カラーを表示するための装置において、
カラー・ディスプレイ・デバイスと、
カラー・ディスプレイ・デバイスに接続され、フル強度のレッドのカラー・ポイント、フル強度のグリーンのカラー・ポイント、及びフル強度のブルーのカラー・ポイントを記憶するためのメモリ・デバイスと
を備え、
フル強度のレッドのカラー・ポイントがゼロ強度のブルー及びゼロ強度のグリーンを含み、フル強度のグリーンのカラー・ポイントがゼロ強度のレッド及びゼロ強度のブルーを含み、フル強度のブルーのカラー・ポイントがゼロ強度のレッド及びゼロ強度のグリーンを含んでいる
ことを特徴とする装置。
【請求項８】  請求項７記載の装置において、カラー・ディスプレイ・デバイス及びメモリ・デバイスは、近接配置されていることを特徴とする装置。
【請求項９】  請求項８記載の装置において、該装置はさらに、メモリ・デバイスに接続されるプロセッサであって、記憶されたフル強度のレッドのカラー・ポイント、記憶されたフル強度のグリーンのカラー・ポイント、及び記憶されたフル強度のブルーのカラー・ポイントに対応する減衰及びミキシング行列を計算するためのプロセッサを備えていることを特徴とする装置。
【請求項１０】  請求項８記載の装置において、プロセッサは、カラー・ディスプレイ・デバイス及びメモリ・デバイスに近接配置されていることを特徴とする装置。
【請求項１１】  モニタ上でカラー・スキームを動作させる方法において、
モニタ上で第１カラー・スキームを作動させるステップと、
第１カラー・スキームの作動に応答して、モニタの第１カラー・ポイントを測定するステップと、
モニタ上で第２カラー・スキームを作動させるステップと、
第２カラー・スキームの作動に応答して、モニタの第２カラー・ポイントを測定するステップと、
モニタ上で第３カラー・スキームを作動させるステップと、
第３カラー・スキームの作動に応答して、モニタの第３カラー・ポイントを測定するステップと、
測定された第１、第２及び、第３カラー・ポイントに対応する減衰及びミキシング行列を生成するステップと、
記憶デバイスに、減衰及びミキシング行列を記憶するステップと
からなることを特徴とする方法。
【請求項１２】  請求項１１記載の方法において、第１カラー・スキームを作動させるステップが、グリーンとブルーをゼロ強度で表示し、レッドをフル強度で表示するステップを含むことを特徴とする方法。
【請求項１３】  請求項１１記載の方法において、第２カラー・スキームを作動させるステップが、レッドとブルーをゼロ強度で表示し、グリーンをフル強度で表示するステップを含むことを特徴とする方法。
【請求項１４】  請求項１１記載の方法において、第３カラー・スキームを作動させるステップが、グリーンとレッドをゼロ強度で表示し、ブルーをフル強度で表示するステップを含むことを特徴とする方法。
【請求項１５】  請求項１２記載の方法において、該方法はさらに、
モニタに取り付けられた記憶デバイスに、モニタに対応するシリアル番号を記憶するステップと、
減衰及びミキシング行列をシリアル番号に関連付けるステップと
を含み、減衰及びミキシング行列がシリアル番号と結び付けて記憶されることを特徴とする方法。
【請求項１６】  請求項１１記載の方法において、該方法はさらに、
１つのピクセルに対して１つのＲＧＢ値を受け取るステップと、
受け取ったＲＧＢ値に減衰及びミキシング行列を適用することによって、修正ＲＧＢ値を生成するステップと
からなることを特徴とする方法。
【請求項１７】  請求項１６記載の方法において、該方法はさらに、
修正されたカラーで表示するようにピクセルを手動で選択するステップと、
ピクセルが選択されたことに応答して、修正ＲＧＢ値に従って、モニタを作動させるステップと
からなることを特徴とする方法。
【請求項１８】  カラーを表示するための装置において、
ディスプレイ・デバイスと、
ディスプレイ・デバイスに接続され、ディスプレイ・デバイスのカラー特性に従って生成された減衰及びミキシング行列を記憶するメモリ・デバイスと
からなることを特徴とする装置。
【請求項１９】  請求項１８記載の装置において、カラー・ディスプレイ・デバイス及びメモリ・デバイスは、近接して配置されていることを特徴とする装置。
【請求項２０】  請求項１９記載の装置において、該装置はさらに、メモリ・デバイスに接続され、受け取られたＲＧＢ値に減衰及びミキシング行列を適用して修正ＲＧＢ値を計算するプロセッサとからなることを特徴とする装置。
【請求項２１】  請求項１８記載の装置において、メモリ・デバイスが不揮発性メモリであることを特徴とする装置。
【請求項２２】  請求項１８記載の装置において、カラー特性が、レッド、グリーン、及びブルーのカラー・ポイントを含むことを特徴とする装置。
【請求項２３】  カラー修正システムの作動方法において、
モニタに付随するメモリから、フル強度のレッドの第１カラー・ポイントを読み出すステップと、
モニタに付随するメモリから、フル強度のグリーンの第２カラー・ポイントを読み出すステップと、
モニタに付随するメモリから、フル強度のブルーの第２カラー・ポイントを読み出すステップと、
第１カラー・ポイント、第２カラー・ポイント及び第３カラー・ポイントに対応する減衰及びミキシング行列を計算するステップと、
ＲＧＢ値を受け取るステップと、
受け取ったＲＧＢ値に減衰及びミキシング行列を適用して修正ＲＧＢ値を計算するステップと
からなることを特徴とする方法。